(57)【特許請求の範囲】
【請求項１】
有価価値を有した記録媒体を使用して支払を行うことによって遊技を可能とする複数の遊技機と、記録媒体に記録された記録情報の読み書きを行い、該記録情報を送信する端末装置と、端末装置から受信する記録情報を管理する管理装置とを複数の遊技店に夫々備える遊技管理システムにおいて、
前記端末装置は、
記録媒体の使用終了要求（又は使用承認要求）を受け付ける受付手段と、
該受付手段によって受け付けられた使用終了要求（又は使用承認要求）を管理装置へ送信する手段と
を備え、
前記管理装置は、
前記管理装置が設置されている遊技店にて使用可能な記録媒体の記録情報が記憶してある記録情報記憶部と、
前記使用終了要求を受信した場合、受信した使用終了要求に係る記録媒体の記録情報が前記記録情報記憶部に記憶されているか否かを判定する記憶判定手段と、
該記憶判定手段によって記憶されていると判定された場合、前記受信した使用終了要求に係る記録媒体の記録情報に電子的な認証を付与する認証付与手段と、
該認証付与手段によって電子的な認証が付与された認証済み記録情報を端末装置へ送信する認証済み記録情報送信手段と、
前記使用承認要求を受信した場合、受信した使用承認要求に係る記録媒体の認証済み記録情報の正当性を確認する確認手段と、
該確認手段によって正当性が確認された場合、前記認証済み記録情報に係る記録情報を前記記録情報記憶部に登録する登録手段と
を備え、
前記端末装置は更に、
認証済み記録情報を受信した場合、受信した認証済み記録情報を記録媒体に書き込む手段
を備えることを特徴とする遊技管理システム。
【請求項２】
前記確認手段は、
確認対象である認証済み記録情報に係る認証を付与した管理装置を特定する特定手段と、
該特定手段によって特定された管理装置を設置している遊技店と、確認対象である認証済み記録情報に示されている遊技店とが一致しているか否かを判定する一致判定手段と
を有し、
該一致判定手段によって一致していると判定された場合、確認対象である認証済み記録情報は正当であると判断すべくなしてあることを特徴とする請求項１に記載の遊技管理システム。
【請求項３】
複数の管理装置と接続され、接続された複数の管理装置を管理する中央管理装置を更に備え、
前記管理装置は更に、
前記記憶判定手段によって記憶されていると判定された記録情報（又は前記確認手段によって正当性が確認された認証済み記録情報に係る記録情報）を前記中央管理装置へ送信する手段
を備え、
前記中央管理装置は、
前記記憶されていると判定された記録情報を受信した場合、該記録情報を記憶する記憶手段と、
前記認証済み記録情報に係る記録情報を受信した場合、該記録情報及び前記記憶手段によって記憶されている記録情報に基づいて、前記認証済み記録情報に係る記録情報の正当性を確認する確認手段と
を備え、
前記登録手段は、
前記中央管理装置によって正当性が確認された場合に前記認証済み記録情報に係る記録情報を前記記録情報記憶部に登録すべくなしてあることを特徴とする請求項１又は請求項２に記載の遊技管理システム。
【請求項４】
記録媒体に記録された記録情報の読み書きを行い、該記録情報を送信する端末装置と、端末装置から受信する記録情報を管理する管理装置とを複数の遊技店に夫々備える遊技管理システムにおいて、
前記端末装置は、
記録媒体の使用終了要求（又は使用承認要求）を受け付ける受付手段と、
該受付手段によって受け付けられた使用終了要求（又は使用承認要求）を管理装置へ送信する手段と
を備え、
前記管理装置は、
前記管理装置が設置されている遊技店にて使用可能な記録媒体の記録情報が記憶してある記録情報記憶部と、
前記使用終了要求を受信した場合、受信した使用終了要求に係る記録媒体の記録情報が前記記録情報記憶部に記憶されているか否かを判定する記憶判定手段と、
該記憶判定手段によって記憶されていると判定された場合、前記受信した使用終了要求に係る記録媒体の記録情報に電子的な認証を付与する認証付与手段と、
該認証付与手段によって電子的な認証が付与された認証済み記録情報を端末装置へ送信する認証済み記録情報送信手段と、
前記使用承認要求を受信した場合、受信した使用承認要求に係る記録媒体の認証済み記録情報の正当性を確認する確認手段と、
該確認手段によって正当性が確認された場合、前記認証済み記録情報に係る記録情報を前記記録情報記憶部に登録する登録手段と
を備え、
前記端末装置は更に、
認証済み記録情報を受信した場合、受信した認証済み記録情報を記録媒体に書き込む手段
を備えることを特徴とする遊技管理システム。
【請求項５】
複数の遊技店の夫々に備えられ、記録媒体に記録された記録情報を管理する管理装置において、
前記管理装置が設置されている遊技店にて使用可能な記録媒体の記録情報が記憶してある記録情報記憶部と、
記録媒体の使用終了要求を受け付けた場合、受け付けた要求に係る記録媒体の記録情報が前記記録情報記憶部に記憶されているか否かを判定する記憶判定手段と、
該記憶判定手段によって記憶されていると判定された場合、前記受け付けた使用終了要求に係る記録媒体の記録情報に電子的な認証を付与する認証付与手段と、
記録媒体の使用承認要求が入力された場合、受信した使用承認要求に係る記録媒体の認証済み記録情報の正当性を確認する確認手段と、
該確認手段によって正当性が確認された場合、前記認証済み記録情報に係る記録情報を前記記録情報記憶部に登録する登録手段と
を備え、
前記確認手段は、
確認対象である認証済み記録情報に係る認証を付与した管理装置を特定する特定手段と、
該特定手段によって特定された管理装置を設置している遊技店と、確認対象である認証済み記録情報に示されている遊技店とが一致しているか否かを判定する一致判定手段と
を有し、
該一致判定手段によって一致していると判定された場合、確認対象である認証済み記録情報は正当であると判断すべくなしてあることを特徴とする管理装置。
【発明の詳細な説明】
【０００１】
【発明の属する技術分野】
本発明は、例えばＩＣカード等の記録媒体を使用して遊技を行う場合に、記録媒体の使用の利便性を図ることができ、しかも記録媒体の不正使用の拡大を防止することができる遊技管理システム、及び記録媒体に記録された記録情報を管理する管理装置に関する。
【０００２】
【従来の技術】
従来から、磁気記録領域を備えた磁気カード等の記録媒体をプリペイドカード（以下、カードという）として用いて金銭的な支払いを行うために、記録媒体に記録される情報を管理する遊技管理システムが実現されている。また磁気カードに比しさらに多くの情報を記録するために、半導体メモリを備えたＩＣカード等のカードを用いた遊技管理システムも構築されるようになっている。
【０００３】
このような遊技管理システムの多くは、カードの不正使用の拡大を防止するため、特定の遊技店でのみ使用可能なカードであるハウスカードを採用している。
【０００４】
このようなハウスカードには、そのカードが使用できる遊技店を識別する店舗識別子（以下、店舗ＩＤという）がカード発行会社によって発行される際に記録される。そして、発行されたハウスカードは、そのカードに記録された店舗ＩＤによって識別される遊技店へ送付される。
【０００５】
ハウスカードを採用している遊技管理システムでは、そのハウスカードに記録された店舗ＩＤによって識別される遊技店でのみそのカードが使用できるようになっている。そして一度記録された店舗ＩＤは書き換えることができない。したがって、店舗ＩＤに示されている遊技店以外の遊技店ではそのカードを使用することができず、しかも店舗ＩＤを書き換えることができないため、カードが偽造され不正使用された場合であっても、その不正行為が複数の遊技店に拡大することを防止することができる。
【０００６】
【発明が解決しようとする課題】
上述したように、このような遊技管理システムは、カードの不正使用の拡大を防止するという点で優れているが、一方で、カードを複数の遊技店にて共通して使用することができないため、利用者にとっては利便性が悪い等の問題があった。
【０００７】
また、複数の遊技店を経営している経営者にとっても、各遊技店毎に使用することができるカードが異なるため、事務処理が煩雑になる等の問題があった。さらに、カード発行会社にとっても、各遊技店毎に異なるカードを発行しなければならないため、カード発行に要するコストが上昇する等の問題があった。
【０００８】
そこで、カードを複数の遊技店にて共通して使用することができ、しかも不正使用の拡大を防止することができる遊技管理システムの実現が望まれている。
【０００９】
ところで、近年、通信ネットワークの進展に伴い、通信ネットワークを介した電子的な取引が急速に普及している。このような電子的な取引においては、取引に関するデータを正しい相手に送信しなければならず、そのためにこれらのデータの送受信者を確認する必要がある。そのため、デジタル署名に代表される電子的な認証を行うための認証技術が注目されており、このような認証技術を用いたコンピュータシステムが開発されている。
【００１０】
本発明はこのような電子的な認証技術の発展に鑑みてなされたものであり、各遊技店毎に設置された管理装置が、記録媒体に記録されている記録情報に対して電子的な認証を付与することによって、記録媒体を複数の遊技店にて共通して使用することができ、しかも不正行為の拡大を防止することができる遊技管理システム及び記録媒体に記録された記録情報を管理する管理装置を提供することを目的とする。
【００１１】
また本発明の他の目的は、記録情報に対して電子的な認証を付与した管理装置を特定してその管理装置が設置されている遊技店を確認し、この確認した遊技店と記録情報によって示されている遊技店とが一致しているか否かを判別することによって、記録情報の正当性を確認することができる遊技管理システム及び記録媒体に記録された記録情報を管理する管理装置の提供にある。
【００１２】
また本発明の他の目的は、中央管理装置が、記録情報に基づいて記録媒体の正当性を確認し、その結果不正な記録媒体であると判定された場合に、その後の該記録媒体の使用を禁止することによって、不正使用の拡大の防止を図ることができる遊技管理システムの提供にある。
【００１３】
さらに本発明の他の目的は、管理装置が、中央管理装置に対して記録情報の正当性の確認を要求し、この正当性が確認できた場合に、その記録媒体の使用を可能とすることによって、不正な記録媒体の使用を事前に回避することができる遊技管理システムの提供にある。
【００１４】
【課題を解決するための手段】
第１発明に係る遊技管理システムは、有価価値を有した記録媒体を使用して支払を行うことによって遊技を可能とする複数の遊技機と、記録媒体に記録された記録情報の読み書きを行い、該記録情報を送信する端末装置と、端末装置から受信する記録情報を管理する管理装置とを複数の遊技店に夫々備える遊技管理システムにおいて、前記端末装置は、記録媒体の使用終了要求（又は使用承認要求）を受け付ける受付手段と、該受付手段によって受け付けられた使用終了要求（又は使用承認要求）を管理装置へ送信する手段とを備え、前記管理装置は、前記管理装置が設置されている遊技店にて使用可能な記録媒体の記録情報が記憶してある記録情報記憶部と、前記使用終了要求を受信した場合、受信した使用終了要求に係る記録媒体の記録情報が前記記録情報記憶部に記憶されているか否かを判定する記憶判定手段と、該記憶判定手段によって記憶されていると判定された場合、前記受信した使用終了要求に係る記録媒体の記録情報に電子的な認証を付与する認証付与手段と、該認証付与手段によって電子的な認証が付与された認証済み記録情報を端末装置へ送信する認証済み記録情報送信手段と、前記使用承認要求を受信した場合、受信した使用承認要求に係る記録媒体の認証済み記録情報の正当性を確認する確認手段と、該確認手段によって正当性が確認された場合、前記認証済み記録情報に係る記録情報を前記記録情報記憶部に登録する登録手段とを備え、前記端末装置は更に、認証済み記録情報を受信した場合、受信した認証済み記録情報を記録媒体に書き込む手段を備えることを特徴とする。
【００１５】
第２発明に係る遊技管理システムは、第１発明に係る遊技管理システムにおいて、前記確認手段は、確認対象である認証済み記録情報に係る認証を付与した管理装置を特定する特定手段と、該特定手段によって特定された管理装置を設置している遊技店と、確認対象である認証済み記録情報に示されている遊技店とが一致しているか否かを判定する一致判定手段とを有し、該一致判定手段によって一致していると判定された場合、確認対象である認証済み記録情報は正当であると判断すべくなしてあることを特徴とする。
【００１６】
第３発明に係る遊技管理システムは、第１発明又は第２発明に係る遊技管理システムにおいて、複数の管理装置と接続され、接続された複数の管理装置を管理する中央管理装置を更に備え、前記管理装置は更に、前記記憶判定手段によって記憶されていると判定された記録情報（又は前記確認手段によって正当性が確認された認証済み記録情報に係る記録情報）を前記中央管理装置へ送信する手段を備え、前記中央管理装置は、前記記憶されていると判定された記録情報を受信した場合、該記録情報を記憶する記憶手段と、前記認証済み記録情報に係る記録情報を受信した場合、該記録情報及び前記記憶手段によって記憶されている記録情報に基づいて、前記認証済み記録情報に係る記録情報の正当性を確認する確認手段とを備え、前記登録手段は、前記中央管理装置によって正当性が確認された場合に前記認証済み記録情報に係る記録情報を前記記録情報記憶部に登録すべくなしてあることを特徴とする。
【００１７】
第４発明に係る遊戯管理システムは、記録媒体に記録された記録情報の読み書きを行い、該記録情報を送信する端末装置と、端末装置から受信する記録情報を管理する管理装置とを複数の遊技店に夫々備える遊技管理システムにおいて、前記端末装置は、記録媒体の使用終了要求（又は使用承認要求）を受け付ける受付手段と、該受付手段によって受け付けられた使用終了要求（又は使用承認要求）を管理装置へ送信する手段とを備え、前記管理装置は、前記管理装置が設置されている遊技店にて使用可能な記録媒体の記録情報が記憶してある記録情報記憶部と、前記使用終了要求を受信した場合、受信した使用終了要求に係る記録媒体の記録情報が前記記録情報記憶部に記憶されているか否かを判定する記憶判定手段と、該記憶判定手段によって記憶されていると判定された場合、前記受信した使用終了要求に係る記録媒体の記録情報に電子的な認証を付与する認証付与手段と、該認証付与手段によって電子的な認証が付与された認証済み記録情報を端末装置へ送信する認証済み記録情報送信手段と、前記使用承認要求を受信した場合、受信した使用承認要求に係る記録媒体の認証済み記録情報の正当性を確認する確認手段と、該確認手段によって正当性が確認された場合、前記認証済み記録情報に係る記録情報を前記記録情報記憶部に登録する登録手段とを備え、前記端末装置は更に、認証済み記録情報を受信した場合、受信した認証済み記録情報を記録媒体に書き込む手段を備えることを特徴とする。
【００１８】
第５発明に係る管理装置は、複数の遊技店の夫々に備えられ、記録媒体に記録された記録情報を管理する管理装置において、前記管理装置が設置されている遊技店にて使用可能な記録媒体の記録情報が記憶してある記録情報記憶部と、記録媒体の使用終了要求を受け付けた場合、受け付けた要求に係る記録媒体の記録情報が前記記録情報記憶部に記憶されているか否かを判定する記憶判定手段と、該記憶判定手段によって記憶されていると判定された場合、前記受け付けた使用終了要求に係る記録媒体の記録情報に電子的な認証を付与する認証付与手段と、記録媒体の使用承認要求が入力された場合、受信した使用承認要求に係る記録媒体の認証済み記録情報の正当性を確認する確認手段と、該確認手段によって正当性が確認された場合、前記認証済み記録情報に係る記録情報を前記記録情報記憶部に登録する登録手段とを備え、前記確認手段は、確認対象である認証済み記録情報に係る認証を付与した管理装置を特定する特定手段と、該特定手段によって特定された管理装置を設置している遊技店と、確認対象である認証済み記録情報に示されている遊技店とが一致しているか否かを判定する一致判定手段とを有し、該一致判定手段によって一致していると判定された場合、確認対象である認証済み記録情報は正当であると判断すべくなしてあることを特徴とする。
【００１９】
第１発明及び第４発明による場合、端末装置が特定の遊技店における記録媒体の使用を終了する要求である使用終了要求を受け付けたとき、その使用終了要求を管理装置へ送信する。管理装置は、その管理装置を備えている遊技店において使用することが可能な記録媒体の記録情報を記憶する記録情報記憶部を有しており、端末装置から使用終了要求を受信した場合、その記録媒体の記録情報が前記記録情報記憶部に記憶されているか否かを判定し、記憶されていると判定されている場合にその記録情報に電子的な認証を付与する。そしてこの電子的な認証が付与された記録情報を端末装置へ送信する。端末装置は、管理装置から電子的な認証が付与された記録情報を受信した場合、この記録情報を記録媒体に書き込む。
【００２０】
また、端末装置が特定の遊技店における記録媒体の使用承認の要求である使用承認要求を受け付けたとき、その使用承認要求を管理装置へ送信する。管理装置は、端末装置から使用承認要求を受信した場合、この要求に係る記録媒体の電子的な認証が付与された記録情報の正当性を確認し、正当であると確認された場合、この記録情報を前記記録情報記憶部に登録する。
【００２１】
上述したように、ある遊技店にて使用した記録媒体を他の遊技店においても利用したい場合、利用者はその使用を行った遊技店に設置されている端末装置に記録媒体を挿入し、その記録媒体の使用の終了を要求する。ここでその要求が認められた場合、この記録媒体の記録情報に対して電子的な認証が与えられる。そして利用者が他の遊技店に入店した際、その入店した遊技店に設置されている端末装置に記録媒体を挿入し、その記録媒体の使用の承認を要求する。ここでその記録媒体の記録情報に付与された電子的な認証を確認し、この記録情報が正当なものであると判断された場合、その入店した遊技店においてその記録媒体を使用することができる。このようにして利用者は記録媒体を複数の遊技店にて共通して利用することができるため、利用者の利便性を向上させることができる。
【００２２】
また、利用者がその記録媒体の使用承認を要求した場合、その要求が認められない場合は使用することができないので、不正行為の拡大を防止することができる。
【００２３】
また、各遊技店では共通の記録媒体が使用されることになるため、複数の遊技店を経営している経営者にとっては、事務処理の円滑化を図ることができる。さらに利便性の向上のために記録媒体の利用者が増大することによって高収益を得ることができる。
【００２４】
第２発明及び第５発明による場合、管理装置は、記録媒体の記録情報に電子的な認証を付与した管理装置を特定する。その結果特定された管理装置を設置している遊技店と、前記記録情報によって示されている遊技店とが一致しているか否かを判定する。そして両遊技店が一致していると判定された場合、電子的な認証が付与されている記録情報は正当な記録情報であると判断する。
【００２５】
記録媒体の記録情報に対して電子的な認証を付与する管理装置は、この記録媒体の使用を行った遊技店に設置された管理装置である。また記録媒体の記録情報にはその記録媒体の使用を行った遊技店を示す情報が含まれている。したがって、記録情報に対して電子的な認証を付与した管理装置を特定してその管理装置が設置されている遊技店を確認し、この確認した遊技店と記録情報によって示されている遊技店とが一致している場合、この記録情報は正当なものと判断することができる。一方、これらの遊技店が一致しない場合、記録情報の改竄等の不正行為が行われたとして、その記録情報は不正であると判断する。
【００２６】
このようにして、記録情報の正当性の判断を行い、正当であると判断された記録媒体のみ使用を可とし、正当ではないと判断された記録媒体の使用を不可とすることによって、記録媒体の不正使用を事前に回避することができる。
【００２７】
第３発明による場合、管理装置は、記憶部に記憶されていると判定された使用終了要求に係る記録情報を中央管理装置へ送信する。中央管理装置は、前記使用終了要求に係る記録情報を管理装置から受信した場合、この受信した記録情報を記憶する。
【００２８】
また管理装置は、正当性が確認された認証済み記録情報に係る記録情報を中央管理装置へ送信する。中央管理装置は、前記認証済み記録情報に係る記録情報を管理装置から受信した場合、この受信した記録情報及び記憶している記録情報に基づいて、該受信した記録情報が正当なものであると判断する。
【００２９】
そして管理装置は、中央管理装置によって記録情報の正当性が確認された場合に、その記録情報を記録情報記憶部に登録することによってその記録媒体の使用を可能とする。
【００３０】
このように、中央管理装置は各遊技店にて使用することができる記録媒体の記録情報を記憶している。そして、この記憶している記録情報と各管理装置から受信する記録情報との間で不整合が生じた場合、記録情報の改竄等の不正行為が行われたと判断することができる。よって、記録媒体の不正使用の拡大を防止することが可能になる。
【００３１】
また中央管理装置によって記録情報の正当性が確認できた場合にはじめてその記録媒体の使用を可能とすることによって、改竄等の不正行為が施された不正な記録媒体の使用を事前に回避することができる。
【００３２】
【発明の実施の形態】
以下、本発明をその実施の形態を示す図面に基づいて詳述する。
（実施の形態１）
実施の形態１における本発明の遊技管理システムは、例えば、パチンコ台及びスロットマシン等の遊技機を備えたパチンコ店等の遊技店用の決済システムである。また、本実施の形態のシステムにおいて使用される記録媒体は、半導体メモリを備えたＩＣカード等のプリペイドカード（以下、カードという）であり、そのカードに関するカード情報を記録している。
【００３３】
図１は、実施の形態１における本発明の遊技管理システムの構成を示すブロック図である。図１において、１はカード発行会社を示しており、該カード発行会社１には中央管理装置１１が備えられている。該中央管理装置１１はパチンコ店等の複数の遊技店２，２…の夫々に備えられている管理装置２１，２１…と公衆回線等の通信ネットワーク１０を介して接続されており、これらの管理装置２１，２１…との間で、カード情報の送受信を行う。
【００３４】
図２は、各遊技店２，２…に備えられた実施の形態１における本発明の遊技管理システムの構成を示すブロック図である。図２に示すとおり、管理装置２１，２１…は、利用者がカードを購入するために用いられる発券機２２，２２…とも接続されており、管理装置２１，２１…と発券機２２，２２…との間で、カード情報の送受信が行われる。発券機２２，２２…は、管理装置２１，２１…から受信した情報に基づいて、カードの発券を行う。
【００３５】
また、管理装置２１，２１…は、２台の隣り合うパチンコ台又はスロットマシン等の遊技機２４，２４の間に備えられ、カード情報の読み取り及び書き込み等を行う台間機２５，２５…とも接続されており、管理装置２１，２１…と台間機２５，２５…との間で、カード情報の送受信が行われる。台間機２５，２５…は、管理装置２１，２１…から受信した情報に基づいて、パチンコ玉又はメダル等の遊技媒体の排出指示命令を遊技機２４，２４…へ送り、これを受けた遊技機２４，２４…は所定量の遊技媒体を排出する。
【００３６】
さらに、管理装置２１，２１…は、後述するカードの共通化登録処理及び共通化受付処理の際にカード情報の読み込み及び書き込み等を行う共通化登録受付機２３，２３…とも接続されており、管理装置２１と共通化登録受付機２３との間で、カード情報の送受信を行う。
【００３７】
なお、中央管理装置１１が管理装置２１，２１…の機能を兼ねることも可能である。この場合、各遊技店２，２…に備えられた発券機２２，２２…、台間機２５，２５…、及び共通化登録受付機２３，２３…は中央管理装置１１との間でカード情報の送受信を行う。
【００３８】
また、Ｃはカードを示しており、該カードＣは、カード情報を記録するための記録領域１００を有している。
記録領域１００に記録されるカード情報には、カードＣを識別するためのカード識別子（以下、カードＩＤという），カードＣが発券された遊技店を識別するための発券店識別子（以下、発券店ＩＤという），カードＣが発券された年月日を示す発券日，及びカードＣが使用できる遊技店を識別するための使用店識別子（以下、使用店ＩＤという）等の情報が含まれる。また後述する共通化登録処理を行った遊技店を識別するための登録店識別子（以下、登録店ＩＤという）もカード情報に含まれる。さらに、カードＣが使用できる金額を示す使用可能残高もカード情報に含まれており、この使用可能残高は各カードＩＤ毎に各遊技店２，２…に備えられている管理装置２１，２１…によって管理されている。
【００３９】
このカード情報は後述するカードの登録処理の際に暗号化され、同じく受付処理の際に復号化される。
【００４０】
なお、このカードＣは、カード発行会社１からの依頼に基づいてカード製造業者によって製造されたものであり、この製造の際に、上述したカードＩＤが記録領域１００に記録される。
【００４１】
カード発行会社１は、取引契約を結んでいる各遊技店２，２…へ複数のカードＣを配送する。またカード発行会社１は、中央管理装置１１にて、配送先である遊技店２，２…と配送されたカードＣのカードＩＤとを対応付けた配送情報を記憶しており、各遊技店２，２…に係る配送情報を各遊技店２，２…に備えられている管理装置２１，２１…夫々に対して送信する。
【００４２】
カードＣの発券の際、発券機２２，２２…は発券対象のカードＣの記録領域１００に記録された発券店ＩＤがその発券機２２，２２…が設置されている遊技店２であることを確認する。また管理装置２１，２１…は、発券対象のカードＣの記録領域１００に記録されたカードＩＤと上述した配送情報中のカードＩＤとを突き合わせ、カード発行会社１から配送されたカードＣであることを確認する。そしてこれらの確認ができた場合、発券機２２，２２…は、記録領域１００に発券日等の所定の情報を書き込み、カードＣを発券する。
【００４３】
利用者はこのようにして発券されたカードＣを、その発券店である遊技店２において使用することにより、遊技機２４，２４…にて遊技を行うことができる。ここで残高を残した状態で遊技を終了した場合であって、そのカードＣを他の遊技店２，２…において使用したいときは、利用者は共通化登録受付機２３，２３…を用いて後述する共通化登録を行う。そして他の遊技店２，２…にて同じく共通化登録受付機２３，２３…を用いて後述する共通化受付を行うことによって、その遊技店２，２…においてカードＣを使用することができる。
【００４４】
図３は、実施の形態１における本発明の遊技管理システムに用いられる中央管理装置１１の構成を示すブロック図である。図３において、１０１はＣＰＵを示しており、該ＣＰＵ１０１には、管理装置２１，２１…との通信を行うための通信インタフェース１０２と、種々のデータ及びプログラムを記憶する記憶部１０３とが接続されている。また記憶部１０３は後述する３つのデータベースを有している。
【００４５】
第１のデータベースである決済情報ＤＢ１１１は、管理装置２１，２１…から受信したカードＣの発券及び消費に関する決済情報を記憶しているデータベースである。
【００４６】
また第２のデータベースである配送情報ＤＢ１１２は、上述した配送情報を記憶するデータベースであり、第３のデータベースである不正情報ＤＢ１１３は、管理装置２１，２１…から受信した不正カードのカードＩＤを記憶するデータベースである。
【００４７】
図４は、実施の形態１における本発明の遊技管理システムに用いられる管理装置２１，２１…の構成を示すブロック図である。図４において、２０１はＣＰＵを示しており、該ＣＰＵ２０１には、中央管理装置１１、発券機２２，２２…、台間機２５，２５…及び共通化登録受付機２３，２３…との通信を行うための通信インタフェース２０２と、種々のデータ及びプログラムを記憶する記憶部２０３とが接続されている。また記憶部２０３は、以下に説明する４つのデータベースを有している。
【００４８】
第１のデータベースである使用中ＤＢ２１１は、管理装置２１，２１…が設置されている遊技店２，２…において使用することが可能であるカードＣのカード情報を記憶しているデータベースである。したがってこの使用中ＤＢ２１１に記憶されていないカードＣは、その遊技店２，２…において使用することができない。
【００４９】
第２のデータベースである決済情報ＤＢ２１２は、発券機２２，２２…から受信したカードＣの発券に関する情報、及び台間機２５，２５…から受信したカードＣの消費に関する情報を記憶しているデータベースである。この発券及び消費に関する決済情報は、中央管理装置１１へ送信され、中央管理装置１１の決済情報ＤＢ１１１に記憶される。
【００５０】
第３のデータベースである配送情報ＤＢ２１３は、中央管理装置１１から受信した配送情報を記憶しているデータベースである。この配送情報を参照することにより、カード発行会社１が発行して配送したカードＣであるか否かを判別することができる。
【００５１】
第４のデータベースである不正情報ＤＢ２１４は、不正カードのカードＩＤを記憶しているデータベースである。この不正情報ＤＢ２１４には、管理装置２１，２１…が設置されている遊技店２で不正であると判断したカードＣのカードＩＤのみならず、他の遊技店２，２…にて不正であると判断されたカードＣのコードＩＤも記憶している。
【００５２】
さらにこの記憶部２０３には、管理装置２１，２１…が設置されている遊技店２，２…においてデジタル署名を行う際の暗号用の鍵コードである署名暗号鍵コードＫｅと、復号用の鍵コードである署名復号鍵コードＫｄとが夫々記憶されている。
【００５３】
図５は、実施の形態１における本発明の遊技管理システムに用いられる発券機２２，２２…の構成を示すブロック図である。図５において、３０１はＣＰＵを示しており、該ＣＰＵ３０１には、カード発行会社１から配送されたカードＣを収納するカード収納部３０２と、発券するカードＣの記録領域１００に記録された記録情報の読み取り及び書き込み処理を行うリーダライタ部３０３と、利用者からのカードＣの購入要求及び金銭を受け付ける入力部３０４と、発券結果等の情報を表示する表示部３０５と、発券するカードＣを排出して利用者に渡すカード排出部３０６と、管理装置２１，２１…との通信を行うための通信インタフェース３０７と、種々のデータ及びプログラムを記憶する記憶部３０８とが接続されている。
【００５４】
発券機２２，２２…は、カードＣの購入要求及びその要求に応じた金銭を入力部３０４にて受け付けた場合、カード収納部３０２に収納している複数枚のカードＣから１枚のカードＣを取り出し、このカードＣのカード情報をリーダライタ部３０３にて発券店ＩＤを書き込み、書き込んだ発券店ＩＤがその発券機２２，２２…が設置されている遊技店２，２…であるか否かを判別する。また、発券機２２，２２…は、そのカードＣのカード情報を通信インタフェース３０７を介して管理装置２１，２１…へ送信する。管理装置２１，２１…は配送情報ＤＢ２１３を参照することによってカード発行会社１から発行されたものであるか否かを判別し、その結果を発券機２２，２２…へ送信する。
【００５５】
そして発券機２２，２２…及び管理装置２１，２１…の両装置による判別の結果、正当なカードであると判別できた場合に、発券機２２，２２…によってそのカードＣの記録領域１００に発券日等のカード情報が書き込まれ、カード情報が書き込まれたカードＣをカード排出部３０６から利用者に渡される。
【００５６】
図６は、実施の形態１における本発明の遊技管理システムに用いられる台間機２５，２５…の構成を示すブロック図である。図６において、４０１はＣＰＵを示しており、該ＣＰＵ４０１には、カードＣの挿入及び排出を行うためのカード挿入・排出部４０２と、挿入されたカードＣの記録領域１００に記録されたカード情報の読み取り及び書き込み処理を行うリーダライタ部４０３と、利用者からパチンコ玉の貸出量を受け付ける入力部４０４と、利用者の要求が承認されたか否かを示す情報を表示する表示部４０５と、管理装置２１，２１…との間で通信を行うための通信インタフェース４０６と、種々のデータ及びプログラムを記憶する記憶部４０７とが接続されている。
【００５７】
台間機２５，２５…は、カード挿入・排出部４０２に挿入されたカードＣの記録情報をリーダライタ部４０３にて読み取り、読み取った記録情報を通信インタフェース４０６を介して管理装置２１，２１…へ送信する。管理装置２１，２１…は不正カードであるか否か及び使用可能残高が残っているか否か等を判別し、その判別結果を台間機２５，２５…へ送信する。通信インタフェース４０６を介して管理装置２１，２１…から受信した判別結果に応じて、台間機２５，２５…は、表示部４０５にてカードＣの使用可能残高を示す度数又はエラーの何れかを表示する。ここでカードＣの度数が表示された場合、すなわち使用可能残高が残っている場合は、遊技媒体の排出指示命令を遊技機２４，２４…へ送る。これを受けた遊技機２４，２４…は所定数の遊技媒体を排出する。なお、入力部４０４及び表示部４０５は台間機２５，２５…に設ける替わりに、遊技機２４，２４…に設けるようにしてもよい。
【００５８】
図７は、実施の形態１における本発明の遊技管理システムに用いられる共通化登録受付機２３，２３…の構成を示すブロック図である。図７において、５０１はＣＰＵを示しており、該ＣＰＵ５０１には、カードＣの挿入及び排出を行うためのカード挿入・排出部５０２と、挿入されたカードＣの記録領域１００に記録されたカード情報の読み取り及び書き込み処理を行うリーダライタ部５０３と、利用者からの入力を受け付ける入力部５０４と、認証結果を示す情報等を表示する表示部５０５と、管理装置２１，２１…との間で通信を行うための通信インタフェース５０６と、種々のデータ及びプログラムを記憶する記憶部５０７とが接続されている。
【００５９】
共通化登録受付機２３，２３…は、後述する受付処理の際に、カード挿入・排出部５０２に挿入されたカードＣのカード情報をリーダライタ部５０３にて読み取り、読み取った情報を通信インタフェース５０６を介して管理装置２１，２１…へ送信する。また、共通化登録受付機２３，２３…は、通信インタフェース５０６を介して管理装置２１，２１…から受信した情報に基づき、リーダライタ部５０３にてカードＣの記録領域１００に記録情報の書き込みを行う。
【００６０】
なお、本実施の形態では、共通化登録受付機２３，２３…と台間機２５，２５…とを別の装置としているが、台間機２５，２５…が共通化登録受付機２３，２３…の機能を兼ねてもよい。
【００６１】
次に実施の形態１における本発明の遊技管理システムの動作について説明する。
実施の形態１における本発明の遊技管理システムは、カードＣを複数の遊技店２，２…にて共通して使用できるように動作するシステムであり、そのために次に示す共通化登録処理及び共通化受付処理の２つの処理を実行する。
【００６２】
図８は、共通化登録処理及び共通化受付処理を説明するための説明図である。図８において、２Ａ及び２Ｂは夫々異なる遊技店を示している。
【００６３】
（１）共通化登録処理
遊技店２ＡにてカードＣに使用可能残高がある状態で遊技を終了した場合であって、遊技店２Ａ以外の遊技店２，２…でそのカードＣを用いて遊技を行いたいときは、利用者Ｐは、そのカードＣを遊技店２Ａに設置されている共通化登録受付機２３に挿入して共通化登録処理を行う必要がある。ここで共通化登録処理とは、前述したように、使用店ＩＤを特定の遊技店２ではなくすべての遊技店２，２…を示すＩＤに更新した後に、そのカード情報に対してデジタル署名する処理である。
【００６４】
（２）共通化受付処理
共通化登録処理を終了した利用者Ｐは、このカードＣを持参して遊技店２Ｂに入店し、遊技店２Ｂに設置されている共通化登録受付機２３に挿入して共通化受付処理を行う。ここで共通化受付処理とは、共通化登録カードであるカードＣに書き込まれたデジタル署名を解読してそのカードＣの正当性を確認するための処理である。この正当性が確認された場合、利用者Ｐは遊技店２ＢにてこのカードＣを用いて遊技を行うことができる。
【００６５】
次に、これら２つの処理を含め、実施の形態１における本発明の遊技管理システムが行う処理の処理手順について具体的に説明する。
【００６６】
図９は、本発明の遊技管理システムの発券処理における管理装置２１，２１…及び発券機２２，２２…の処理手順を示すフローチャートである。
発券機２２，２２…は、利用者からカードＣの購入要求及びその要求に応じた金銭を入力部３０４が受け付けた場合（Ｓ１０１）、発券対象となるカードＣのカード情報をリーダライタ部３０３にて読み取り（Ｓ１０２）、発券店ＩＤが発券機２２，２２…の設置店である遊技店２を示しているか否かを判別する（Ｓ１０３）。ここで発券店ＩＤが前記遊技店２を示していないと判別された場合（Ｓ１０３でＮＯ）、そのカードＣを廃棄し（Ｓ１１０）、ステップＳ１０２へ戻る。
【００６７】
一方、ステップＳ１０３にて、発券店ＩＤが前記遊技店２を示していると判別された場合（Ｓ１０３でＹＥＳ）、発券機２２，２２…は、そのカードＣのカード情報を管理装置２１，２１…へ送信する（Ｓ１０４）。
【００６８】
管理装置２１，２１…は、発券機２２，２２…からカード情報を受信した場合（Ｓ２０１）、受信したカード情報からカードＩＤを参照し、そのカードＩＤをキーとして配送情報ＤＢ２１３を検索する（Ｓ２０２）。ここで検索に失敗した場合（Ｓ２０２でＮＯ）、管理装置２１，２１…は、カード発行会社１から発行されたカードではないことを示すカード異常情報を発券機２２，２２…へ送信する（Ｓ２０６）。
【００６９】
発券機２２，２２…は、管理装置２１，２１…からカード異常情報を受信した場合（Ｓ１０９）、そのカードＣを廃棄し（Ｓ１１０）、ステップＳ１０２へ戻る。
【００７０】
またステップＳ２０２にて配送情報ＤＢ２１３の検索に成功した場合（Ｓ２０２でＹＥＳ）、管理装置２１，２１…は、カード発行会社１から配送されたカードであることを示すカード正常情報を発券機２２，２２…へ送信する（Ｓ２０３）。
【００７１】
発券機２２，２２…は、管理装置２１，２１…からカード正常情報を受信した場合（Ｓ１０５）、発券対象のカードＣが正規なカードであると判断し、使用可能な遊技店２を識別するための使用店ＩＤとして、発券機２２，２２…の設置店である遊技店２の遊技店ＩＤを書き込み（Ｓ１０６）、カードＣを排出する（Ｓ１０７）。また発券機２２，２２…は、発券したことを示す発券情報を発券されたカードＣのカード情報とともに、管理装置２１，２１…へ送信する（Ｓ１０８）。
【００７２】
管理装置２１，２１…は、発券機２２，２２…から発券情報及びカード情報を受信した場合（Ｓ２０４）、使用中ＤＢ２１１に発券されたカードＣのカード情報を登録する（Ｓ２０５）。
【００７３】
以上の処理の結果、利用者は発券店である遊技店２，２…において発券されたカードＣをその発券店にて使用することができる。
【００７４】
次に、このようにして発券されたカードＣが、共通化登録受付機２３，２３…に挿入された場合の本発明の遊技管理システムの動作について図１０乃至図１３を参照して説明する。
【００７５】
図１０乃至図１３は、カードＣが共通化登録受付機２３，２３…に挿入された場合の、実施の形態１における本発明の遊技管理システムの動作の流れを示すフローチャートである。
共通化登録受付機２３，２３…は、カードＣが挿入された場合、リーダライタ部５０３にてカード情報の読み取りを行い（Ｓ３０１）、読み取ったカード情報に基づいてカードＣが不正カードであるか否かを判別する（Ｓ３０２）。この判別のために、例えば使用可能残高がカードＣの額面金額以下であるか否か等を確認する。
【００７６】
ステップＳ３０２において不正カードであると判別された場合（Ｓ３０２でＹＥＳ）、共通化登録受付機２３，２３…は、カードＣが不正カードであることを示す不正カード情報を管理装置２１，２１…へ送信する（Ｓ３０３）。
【００７７】
管理装置２１，２１…は、共通化登録受付機２３，２３…から不正カード情報を受信した場合（Ｓ４０１）、受信した不正カード情報に係るカードＣのカードＩＤを不正情報ＤＢ２１４に登録する（Ｓ４０２）。そしてこの不正情報ＤＢ２１４の登録が完了したことを示す不正登録完了情報を共通化登録受付機２３，２３…へ送信する（Ｓ４０３）。
【００７８】
共通化登録受付機２３，２３…は、管理装置２１，２１…から不正登録完了情報を受信した場合（Ｓ３０４）、表示部５０５にて「従業員にご相談下さい」等のメッセージを出力し（Ｓ３０５）、カードＣを排出せずに装置内に取り込む（Ｓ３０８）。
【００７９】
一方、ステップＳ３０２においてカードＣが不正カードではないと判別された場合（Ｓ３０２でＮＯ）、ステップＳ３０１において読み取ったカード情報を参照し、使用可能残高が有るか否かを判別する（Ｓ３０６）。
【００８０】
ステップＳ３０６において使用可能残高がないと判別された場合（Ｓ３０６でＮＯ）、共通化登録受付機２３，２３…は、表示部５０５にて「使用済みです」等のメッセージを出力し（Ｓ３０７）、カードＣを排出せずに装置内に取り込む（Ｓ３０８）。ここで、例えば遊技管理システムが会員制を採用しており、会員は会員用のカードＣを繰り返し使用することができるような場合では、カードＣの再利用を会員に促すべく、カードＣを排出するようにしてもよい。
【００８１】
またステップＳ３０６において使用可能残高が有ると判別された場合（Ｓ３０６でＹＥＳ）、共通化登録受付機２３，２３…の入力部５０４にて、利用者から共通化登録又は共通化受付の何れかの要求を受け付ける（Ｓ３０９）。
【００８２】
ステップＳ３０９において共通化登録の要求を受け付けた場合（Ｓ３０９で登録）、ステップＳ３０１にて読み取ったカード情報を参照し、遊技を行った遊技店２を示す使用店ＩＤが共通化登録受付機２３，２３…の設置店であるか否かを判別する（Ｓ３１０）。ここで使用店ＩＤが共通化登録受付機２３，２３…の設置店ではないと判別された場合（Ｓ３１０でＮＯ）、共通化登録受付機２３，２３…は、表示部５０５にて「○○○店のカードです」等のメッセージを出力し（Ｓ３１４）、カードＣを排出する（Ｓ３１５）。
【００８３】
またステップＳ３１０において使用店ＩＤが前記設置店であると判別された場合（Ｓ３１０でＹＥＳ）、共通化登録受付機２３，２３…は、表示部５０５にて「共通化登録しますか? 」等のメッセージを出力する（Ｓ３１１）。ここで利用者が共通化登録をキャンセルした場合（Ｓ３１２でＹＥＳ）、カードＣを排出する（Ｓ３１５）。またキャンセルされなかった場合（Ｓ３１２でＮＯ）、後述する共通化登録処理を行う（Ｓ３１３）。
【００８４】
一方、ステップＳ３０９において共通化受付の要求を受け付けた場合（Ｓ３０９で受付）、ステップＳ３０１にて読み取ったカード情報を参照し、共通化登録済みであるか否か、すなわちカードＣが共通化登録カードであるか否かを判別する（Ｓ３１６）。ここで共通化登録カードではないと判別された場合（Ｓ３１６でＮＯ）、共通化登録受付機２３，２３…は、表示部５０５にて「共通化登録されていません」等のメッセージを出力し（Ｓ３２０）、カードＣを排出する（Ｓ３１５）。
【００８５】
またステップＳ３１６においてカードＣが共通化登録カードであると判別された場合（Ｓ３１６でＹＥＳ）、共通化登録受付機２３，２３…は、表示部５０５にて「共通化受付しますか? 」等のメッセージを出力する（Ｓ３１７）。ここで利用者が共通化受付をキャンセルした場合（Ｓ３１８でＹＥＳ）、カードＣを排出する（Ｓ３１５）。またキャンセルされなかった場合（Ｓ３１８でＮＯ）、後述する共通化受付処理を行う（Ｓ３１９）。
【００８６】
次に、ステップＳ３１３の共通化登録処理及びステップＳ３１９の共通化受付処理について夫々説明する。
【００８７】
（共通化登録処理）
図１２は、実施の形態１における本発明の遊技管理システムの共通化登録処理の処理手順を示すフローチャートである。
共通化登録受付機２３，２３…は、ステップＳ３０１にて読み取ったカード情報を管理装置２１，２１…へ送信する（Ｓ３２１）。
【００８８】
管理装置２１，２１…は、共通化登録受付機２３，２３…からカード情報を受信した場合（Ｓ４０４）、受信したカード情報と内容が一致するカード情報を使用中ＤＢ２１１から検索する（Ｓ４０５）。この検索に失敗した場合（Ｓ４０５でＮＯ）、このカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【００８９】
またステップＳ４０５の検索に成功した場合（Ｓ４０５でＹＥＳ）、管理装置２１，２１…は、管理装置２１，２１…の設置店のＩＤを登録店ＩＤとしてカード情報に付加した（Ｓ４０６）後、記憶部２０３に記憶している署名暗号鍵コードＫｅを用いてそのカード情報を暗号化することによってデジタル署名を行う（Ｓ４０７）。そしてデジタル署名が施されたカード情報である署名済みカード情報を共通化登録受付機２３，２３…へ送信する（Ｓ４０８）。
【００９０】
共通化登録受付機２３，２３…は、管理装置２１，２１…から署名済カード情報を受信した場合（Ｓ３２２）、受信した署名済みカード情報をリーダライタ部５０３によってカードＣの記録領域１００に書き込む（Ｓ３２３）。そして表示部５０５にて「共通化登録が完了しました」等のメッセージを出力し（Ｓ３２４）、そのカードＣを排出する（Ｓ３２５）。
【００９１】
（共通化受付処理）
図１３は、実施の形態１における本発明の遊技管理システムの共通化受付処理の処理手順を示すフローチャートである。
共通化登録受付機２３，２３…は、ステップＳ３０１にて読み取ったカード情報を管理装置２１，２１…へ送信する（Ｓ３２６）。
【００９２】
管理装置２１，２１…は、共通化登録装置２３，２３…からカード情報を受信した場合（Ｓ４０９）、記憶部２０３に記憶している署名復号鍵コードＫｄを用いて、受信したカード情報を復号化し、このカード情報に対して施されているデジタル署名を解読する（Ｓ４１０）。そしてその解読の結果、このデジタル署名がどの管理装置２１，２１…が有している署名暗号鍵コードＫｅを用いてなされたものであるのかを判別し、その管理装置２１の設置店、すなわち共通化登録処理が行われた遊技店である登録店を特定する（Ｓ４１１）。
【００９３】
次に管理装置２１，２１…は、ステップＳ４１１にて特定した登録店と、このカード情報中の登録店ＩＤによって識別される登録店とが一致するか否かを判別する（Ｓ４１２）。ここで一致しないと判別された場合（Ｓ４１２でＮＯ）、このカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【００９４】
一方、ステップＳ４１２で両登録店が一致すると判別された場合（Ｓ４１２でＹＥＳ）は、そのカード情報を使用中ＤＢ２１１に登録する（Ｓ４１３）。そして登録したカード情報を共通化登録受付機２３，２３…へ送信する（Ｓ４１４）。
【００９５】
共通化登録受付機２３，２３…は、管理装置２１，２１…からカード情報を受信した場合（Ｓ３２７）、受信したカード情報をリーダライタ部５０３によってカードＣの記録領域１００に書き込み（Ｓ３２８）、表示部５０５にて「共通化受付が完了しました」等のメッセージを出力する（Ｓ３２９）。そしてこのカードＣを排出する（Ｓ３３０）。
【００９６】
上述したように、管理装置２１，２１…が、カード情報に対してデジタル署名を行い、このデジタル署名を用いてカードＣの正当性を確認する。ここでその正当性が確認できた場合はカードＣを使用を可能とするために管理装置２１，２１…はそのカード情報を使用中ＤＢ２１１に登録し、一方不正であるとみなした場合はそのカード情報を不正情報ＤＢ２１４に登録する。これにより、カードＣを複数の遊技店２，２…にて共通して使用することができ、しかも不正行為の拡大を防止することができる。
【００９７】
（実施の形態２）
図１４は、実施の形態２における本発明の遊技管理システムに用いられる中央管理装置１１の構成を示すブロック図である。
実施の形態２における本発明の遊技管理システムが備える中央管理装置１１は、実施の形態１における中央管理装置１１と異なり、記憶部１０３に第４のデータベースである共通化登録ＤＢ１１４が付加されている。これ以外の構成は実施の形態１の場合と同様であるので、同一の符号を付して説明を省略する。
【００９８】
第４のデータベースである共通化登録ＤＢ１１４は、管理装置２１，２１…から受信した共通化登録処理済みのカードＣに関する情報を記憶しているデータベースである。
【００９９】
図１５は共通化登録ＤＢ１１４に格納されているファイルのフォーマット例を示す概念図である。図１５に示すとおり、共通化登録ＤＢ１１４には、カードＩＤフィールド１１０ａ、登録日時フィールド１１０ｂ及び登録店ＩＤフィールド１１０ｃの３つのフィールドが用意されている。そしてカードＩＤフィールド１１０ａには共通化登録カードであるカードＣのカードＩＤが、登録日時フィールド１１０ｂにはそのカードＣに対して共通化登録処理を行った日時が、登録店ＩＤフィールド１１０ｃにはその共通化登録処理を行った管理装置２１の設置店である遊技店２の登録店ＩＤが夫々格納される。
【０１００】
したがって図１５に示すフォーマット例では、例えばカードＩＤが“１０２０３０”であるカードＣが、２０００年１月１５日の１７時３０分に、登録店ＩＤが“Ａ”である遊技店２にて共通化登録処理を行ったことを示している。
【０１０１】
図１６は、実施の形態２における本発明の遊技管理システムに用いられる管理装置２１，２１…の構成を示すブロック図である。
実施の形態２における本発明の遊技管理システムが備える管理装置２１，２１…は、実施の形態１における管理装置２１，２１…と異なり、記憶部２０３に第５のデータベースである共通化登録ＤＢ２１５が付加されている。これ以外の構成は実施の形態１の場合と同様であるので、同一の符号を付して説明を省略する。
【０１０２】
第５のデータベースである共通化登録ＤＢ２１５は、共通化登録処理がされたカードＣのカード情報を記憶するデータベースである。この共通化登録ＤＢ２１５に記憶されているカード情報は、後述する手順にしたがって中央管理装置１１へ送信される。
【０１０３】
なお、発券機２２，２２…、共通化登録受付機２３，２３…及び台間機２５，２５…の構成は、実施の形態１の場合と同様であるので、説明を省略する。
【０１０４】
次に、実施の形態２における本発明の遊技管理システムの動作について説明する。なお、ステップＳ３１３の共通化登録処理及びステップＳ３１９の共通化受付処理以外の処理については、実施の形態１と同様であるので説明を省略する。
【０１０５】
以下に、実施の形態２における本発明の遊技管理システムの共通化登録処理及び共通化受付処理の処理手順について説明する。
【０１０６】
（共通化登録処理）
図１７は、実施の形態２における本発明の遊技管理システムの共通化登録処理の処理手順を示すフローチャートである。
共通化登録受付機２３，２３…は、ステップＳ３０１にて読み取ったカード情報を管理装置２１，２１…へ送信する（Ｓ５０１）。
【０１０７】
管理装置２１，２１…は、共通化登録受付機２３，２３…からカード情報を受信した場合（Ｓ６０１）、受信したカード情報と内容が一致するカード情報を使用中ＤＢ２１１から検索する（Ｓ６０２）。この検索に失敗した場合（Ｓ６０２でＮＯ）、このカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【０１０８】
またステップＳ６０２の検索に成功した場合（Ｓ６０２でＹＥＳ）、管理装置２１，２１…は、管理装置２１，２１…の設置店のＩＤを登録店ＩＤとしてカード情報に付加した（Ｓ６０３）後、そのカード情報を共通化登録ＤＢ２１５に登録する（Ｓ６０４）。次に、記憶部２０３に記憶している署名暗号鍵コードＫｅを用いてそのカード情報を暗号化することによってデジタル署名を行う（Ｓ６０５）。そしてデジタル署名が施されたカード情報である署名済みカード情報を共通化登録受付機２３，２３…へ送信する（Ｓ６０６）。
【０１０９】
共通化登録受付機２３，２３…は、管理装置２１，２１…から署名済みカード情報を受信した場合（Ｓ５０２）、受信した署名済みカード情報をリーダライタ部５０３によってカードＣの記録領域１００に書き込む（Ｓ５０３）。そして表示部５０５にて「共通化登録が完了しました」等のメッセージを出力し（Ｓ５０４）、そのカードＣを排出する（Ｓ５０５）。
【０１１０】
遊技店２，２…の営業終了後、管理装置２１，２１…は、共通化登録ＤＢ２１５に記憶されているカード情報を中央管理装置１１へ送信する（Ｓ６０７）。中央管理装置１１は、管理装置２１，２１…からカード情報を受信した場合（Ｓ７０１）、受信したカード情報を共通化登録ＤＢ１１４に登録する（Ｓ７０２）。
【０１１１】
（共通化受付処理）
図１８及び図１９は、実施の形態２における本発明の遊技管理システムの共通化受付処理の処理手順を示すフローチャートである。
共通化登録受付機２３，２３…は、ステップＳ３０１にて読み取ったカード情報を管理装置２１，２１…へ送信する（Ｓ５０６）。
【０１１２】
管理装置２１，２１…は、共通化登録装置２３，２３…からカード情報を受信した場合（Ｓ６０８）、記憶部２０３に記憶している署名復号鍵コードＫｄを用いて、受信したカード情報を復号化し、このカード情報に対して施されているデジタル署名を解読する（Ｓ６０９）。そしてその解読の結果、このデジタル署名がどの管理装置２１，２１…が有している署名暗号鍵コードＫｅを用いてなされたものであるのかを判別し、その管理装置２１の設置店、すなわち共通化登録処理が行われた遊技店である登録店を特定する（Ｓ６１０）。
【０１１３】
次に管理装置２１，２１…は、ステップＳ６１０にて特定した登録店と、このカード情報中の登録店ＩＤによって識別される登録店とが一致するか否かを判別する（Ｓ６１１）。ここで一致しないと判別された場合（Ｓ６１１でＮＯ）、このカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【０１１４】
一方、ステップＳ６１１で両登録店が一致すると判別された場合（Ｓ６１１でＹＥＳ）は、そのカード情報を中央管理装置１１へ送信する（Ｓ６１２）。
中央管理装置１１は、管理装置２１，２１…からカード情報を受信した場合（Ｓ７０３）、受信したカード情報と内容が一致するカード情報を共通化登録ＤＢ１１４から検索する（Ｓ７０４）。この検索に失敗した場合（Ｓ７０４でＮＯ）、共通化登録ＤＢ１１４にカード情報が登録されていないことを示す未登録情報を管理装置２１，２１…へ送信する（Ｓ７０５）。
【０１１５】
管理装置２１，２１…は、中央管理装置１１から未登録情報を受信した場合（Ｓ６１３）、受信した未登録情報に係るカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【０１１６】
一方、ステップＳ７０４の検索に成功した場合（Ｓ７０４でＹＥＳ）、中央管理装置１１は、共通化登録ＤＢ１１４にカード情報が登録されていることを示す登録済み情報を管理装置２１，２１…へ送信する（Ｓ７０６）。
【０１１７】
管理装置２１，２１…は、中央管理装置１１から登録済み情報を受信した場合（Ｓ６１４）、受信した登録済み情報に係るカード情報を使用中ＤＢ２１１に登録する（Ｓ６１５）。そして登録したカード情報を共通化登録受付機２３，２３…へ送信する（Ｓ６１６）。
【０１１８】
共通化登録受付機２３，２３…は、管理装置２１，２１…からカード情報を受信した場合（Ｓ５０７）、受信したカード情報をリーダライタ部５０３によってカードＣの記録領域１００に書き込み（Ｓ５０８）、表示部５０５にて「共通化受付が完了しました」等のメッセージを出力する（Ｓ５０９）。そしてこのカードＣを排出する（Ｓ５１０）。
【０１１９】
このように、中央管理装置１１によって共通化登録ＤＢ１１４にカード情報が登録されているか否かが確認され、その結果カードＣが不正カードであると判定された場合はそのカードＣは使用することができない。したがって、不正使用の拡大の防止を図ることができる。
【０１２０】
（実施の形態３）
実施の形態３における本発明の遊技管理システムは、実施の形態２における本発明の遊技管理システムの場合と異なり、共通化登録処理を行う都度、管理装置２１，２１…が中央管理装置１１に対して問い合わせを行う。なお、実施の形態３における本発明の遊技管理システムの構成において、中央管理装置１１は実施の形態２の場合と同様であり、その他は実施の形態１の場合と同様であるので説明は省略する。
【０１２１】
以下に、実施の形態３における本発明の遊技管理システムの動作について説明する。なお、ステップＳ３１３の共通化登録処理以外の処理については、実施の形態２と同様であるので説明を省略する。
【０１２２】
（共通化登録処理）
図２０は、実施の形態３における本発明の遊技管理システムの共通化登録処理の処理手順を示すフローチャートである。
共通化登録受付機２３，２３…は、ステップＳ３０１にて読み取ったカード情報を管理装置２１，２１…へ送信する（Ｓ８０１）。
【０１２３】
管理装置２１，２１…は、共通化登録受付機２３，２３…からカード情報を受信した場合（Ｓ９０１）、受信したカード情報と内容が一致するカード情報を使用中ＤＢ２１１から検索する（Ｓ９０２）。この検索に失敗した場合（Ｓ９０２でＮＯ）、このカードＣを不正なものとみなして、ステップＳ４０２に進み、そのカードＩＤを不正情報ＤＢ２１４に登録する（Ｓ４０２）。以降、前述したステップＳ４０３並びにＳ３０４及びＳ３０５を実行し、そのカードＣは共通化登録受付機２３，２３…の装置内に取り込まれる（Ｓ３０８）。
【０１２４】
またステップＳ９０２の検索に成功した場合（Ｓ９０２でＹＥＳ）、管理装置２１，２１…は、管理装置２１，２１…の設置店のＩＤを登録店ＩＤとしてカード情報に付加した（Ｓ９０３）後、そのカード情報を中央管理装置１１へ送信する（Ｓ９０４）。
【０１２５】
中央管理装置１１は、管理装置２１，２１…からカード情報を受信した場合（Ｓ１００１）、受信したカード情報を共通化登録ＤＢ１１４に登録する（Ｓ１００２）。そして共通化登録ＤＢ１１４への登録が完了したことを示す共通化登録完了情報を管理装置２１，２１…へ送信する（Ｓ１００３）。
【０１２６】
管理装置２１，２１…は、中央管理装置１１から共通化登録完了情報を受信した場合（Ｓ９０５）、記憶部２０３に記憶している署名暗号鍵コードＫｅを用いてそのカード情報を暗号化することによってデジタル署名を行う（Ｓ９０６）。そしてデジタル署名が施されたカード情報である署名済みカード情報を共通化登録受付機２３，２３…へ送信する（Ｓ９０７）。
【０１２７】
共通化登録受付機２３，２３…は、管理装置２１，２１…から署名済カード情報を受信した場合（Ｓ８０２）、受信した署名済みカード情報をリーダライタ部５０３によってカードＣの記録領域１００に書き込む（Ｓ８０３）。そして表示部５０５にて「共通化登録が完了しました」等のメッセージを出力し（Ｓ８０４）、そのカードＣを排出する（Ｓ８０５）。
【０１２８】
このように管理装置２１，２１…は、共通化登録処理の都度中央管理装置１１に対して問い合わせを行うので、共通化登録処理の後すぐに共通化受付処理を行うことが可能である。したがって実施の形態２の場合と異なり、翌日以降でなくとも共通化受付処理が可能になる。
【０１２９】
【発明の効果】
以上詳述した如く、請求項１及び４に記載の遊技管理システム及び請求項５に記載の管理装置によれば、各遊技店毎に設置された管理装置が、記録媒体に記録されている記録情報に対して電子的な認証を付与することによって、記録媒体を複数の遊技店にて共通して使用することができ、しかも不正行為の拡大を防止することができる。
【０１３０】
また請求項２に記載の遊技管理システム及び請求項５に記載の管理装置によれば、記録媒体の記録情報に対して電子的な認証を付与した管理装置を特定してその管理装置が設置されている遊技店を確認し、この確認した遊技店と記録情報によって示されている遊技店とが一致しているか否かを判別することによって、記録情報の正当性を確認することができる。
【０１３１】
また請求項３に記載の遊技管理システムによれば、中央管理装置が、記録情報に基づいて記録媒体の正当性を確認し、その結果不正な記録媒体であると判定された場合に、その後の該記録媒体の使用を禁止することによって、不正使用の拡大の防止を図ることができる。
【０１３２】
また、管理装置が、中央管理装置に対して記録情報の正当性の確認を要求し、この正当性が確認できた場合に、その記録媒体の使用を可能とすることによって、不正な記録媒体の使用を事前に回避することができる等、本発明は優れた効果を奏する。
【図面の簡単な説明】
【図１】実施の形態１における本発明の遊技管理システムの構成を示すブロック図である。
【図２】各遊技店に備えられた実施の形態１における本発明の遊技管理システムの構成を示すブロック図である。
【図３】実施の形態１における本発明の遊技管理システムに用いられる中央管理装置の構成を示すブロック図である。
【図４】実施の形態１における本発明の遊技管理システムに用いられる管理装置の構成を示すブロック図である。
【図５】実施の形態１における本発明の遊技管理システムに用いられる発券機の構成を示すブロック図である。
【図６】実施の形態１における本発明の遊技管理システムに用いられる台間機の構成を示すブロック図である。
【図７】実施の形態１における本発明の遊技管理システムに用いられる共通化登録受付機の構成を示すブロック図である。
【図８】共通化登録処理及び共通化受付処理を説明するための説明図である。
【図９】本発明の遊技管理システムの発券処理における管理装置及び発券機の処理手順を示すフローチャートである。
【図１０】カードＣが共通化登録受付機に挿入された場合の、実施の形態１における本発明の遊技管理システムの動作の流れを示すフローチャートである。
【図１１】カードＣが共通化登録受付機に挿入された場合の、実施の形態１における本発明の遊技管理システムの動作の流れを示すフローチャートである。
【図１２】実施の形態１における本発明の遊技管理システムの共通化登録処理の処理手順を示すフローチャートである。
【図１３】実施の形態１における本発明の遊技管理システムの共通化受付処理の処理手順を示すフローチャートである。
【図１４】実施の形態２における本発明の遊技管理システムに用いられる中央管理装置の構成を示すブロック図である。
【図１５】共通化登録ＤＢに格納されているファイルのフォーマット例を示す概念図である。
【図１６】実施の形態２における本発明の遊技管理システムに用いられる管理装置の構成を示すブロック図である。
【図１７】実施の形態２における本発明の遊技管理システムの共通化登録処理の処理手順を示すフローチャートである。
【図１８】実施の形態２における本発明の遊技管理システムの共通化受付処理の処理手順を示すフローチャートである。
【図１９】実施の形態２における本発明の遊技管理システムの共通化受付処理の処理手順を示すフローチャートである。
【図２０】実施の形態３における本発明の遊技管理システムの共通化登録処理の処理手順を示すフローチャートである。
【符号の説明】
１  カード発行会社
２  遊技店
１１  中央管理装置
２１  管理装置
２２  発券機
２３  共通化登録受付機
２４  遊技機
２５  台間機
２１１  使用中ＤＢ
２１２  決済情報ＤＢ
２１３  配送情報ＤＢ
２１４  不正情報ＤＢ
Ｋｅ  署名暗号鍵コード
Ｋｄ  署名復号鍵コード
【図１】
0003768771.tif 000002
【図２】
0003768771.tif 000003
【図３】
0003768771.tif 000004
【図４】
0003768771.tif 000005
【図５】
0003768771.tif 000006
【図６】
0003768771.tif 000007
【図７】
0003768771.tif 000008
【図８】
0003768771.tif 000009
【図９】
0003768771.tif 000010
【図１０】
0003768771.tif 000011
【図１１】
0003768771.tif 000012
【図１２】
0003768771.tif 000013
【図１３】
0003768771.tif 000014
【図１４】
0003768771.tif 000015
【図１５】
0003768771.tif 000016
【図１６】
0003768771.tif 000017
【図１７】
0003768771.tif 000018
【図１８】
0003768771.tif 000019
【図１９】
0003768771.tif 000020
【図２０】
0003768771.tif 000021